(57)【要約】【課題】データの遮断耐性を向上させることを目的とする。【解決手段】伝送路３を介して繰り返し送信される同一内容のデータからなる符号化されたデータを受信し、その受信状態に基づいて同一内容のデータから一つのデータを選択するためのタイムダイバーシティ受信装置４において、前記伝送路３におけるデータの遮断の有無を検出する遮断検出部５２と、受信したデータを蓄積する遅延部４９と、受信したデータに基づく第１クロック信号よりも高周波の第２クロック信号を発生する第１クロック発生部５５と、受信したデータに基づく第１クロック信号よりも低周波の第３クロック信号を発生する第２クロック発生部５６と、前記遮断検出部５２から得られる検出結果に基づいて、前記遅延部４９からデータを読み出す処理に利用する第１クロック信号と第２クロック信号と第３クロック信号とを切り替える切替部５３とを有する。【選択図】        図３
2005027031.tif 000002
【特許請求の範囲】
【請求項１】
伝送路を介して繰り返し送信される同一内容のデータからなる符号化されたデータを受信し、その受信状態に基づいて同一内容のデータから一つのデータを選択するためのタイムダイバーシティ受信装置において、
前記伝送路におけるデータの遮断の有無を検出する遮断検出部と、
受信したデータを蓄積する遅延部と、
受信したデータに基づく第１クロック信号よりも高周波の第２クロック信号を発生する第１クロック発生部と、
受信したデータに基づく第１クロック信号よりも低周波の第３クロック信号を発生する第２クロック発生部と、
前記遮断検出部から得られる検出結果に基づいて、前記遅延部からデータを読み出す処理に利用する第１クロック信号と第２クロック信号と第３クロック信号とを切り替える切替部とを有することを特徴とするタイムダイバーシティ受信装置。
【請求項２】
前記遅延部にて蓄積されたデータ容量を監視する蓄積データ監視部を有し、
前記切替部は、データの遮断が起きている間、第１クロック信号から第２クロック信号に切り替え、データの遮断から復旧すると、前記蓄積データ監視部から得られるデータ容量に基づいて、第２クロック信号から第３クロック信号に切り替えることを特徴とする請求項１に記載のタイムダイバーシティ受信装置。
【請求項３】
前記遮断検出部は、
受信したデータの受信レベルに基づいて、前記遮断の有無を検出することを特徴とする請求項１又は２に記載のタイムダイバーシティ受信装置。
【請求項４】
前記遮断検出部は、
受信したデータに含まれる同期信号の検出結果に基づいて、前記遮断の有無を検出することを特徴とする請求項１乃至３の何れか１項に記載のタイムダイバーシティ受信装置。
【請求項５】
受信したデータの誤り率を測定する誤り率測定部を有し、
前記遮断検出部は、前記誤り率測定部からの測定結果に基づいて、遮断の有無を検出することを特徴とする請求項１又は４の何れか１項に記載のタイムダイバーシティ受信装置。
【請求項６】
前記誤り率測定部は、
前記データにおける内符号の復号時及び／又は外符号の復号時に誤り率を検出することを特徴とする請求項５に記載のタイムダイバーシティ受信装置。
【請求項７】
伝送路を介して繰り返し送信される同一内容のデータからなる符号化されたデータを受信し、その受信状態に基づいて同一内容のデータから一つのデータを選択するためのタイムダイバーシティ受信方法において、
前記伝送路におけるデータの遮断の有無を検出する遮断検出段階と、
受信したデータを蓄積する遅延段階と、
受信したデータに基づく第１クロック信号よりも高周波の第２クロック信号を発生する第１クロック発生段階と、
受信したデータに基づく第１クロック信号よりも低周波の第３クロック信号を発生する第２クロック発生段階と、
前記遮断検出段階から得られる検出結果に基づいて、前記遅延段階からデータを読み出す処理に利用する第１クロック信号と第２クロック信号と第３クロック信号とを切り替える切替段階とを有することを特徴とするタイムダイバーシティ受信方法。
【発明の詳細な説明】
【０００１】
【発明の属する技術分野】
本発明は、タイムダイバーシティ受信装置及び受信方法に係り、特に受信側での受信信号の遮断耐性を向上させるためのタイムダイバーシティ受信装置及び受信方法に関する。
【０００２】
【従来の技術】
近年、データ伝送においては送信装置や受信装置の移動時におけるビル等の建物もしくは山岳等の地形による影響、又は強い降雨による影響等により、受信装置での受信レベルが低下し通信品質が劣化する、いわゆるフェージングが発生する。
【０００３】
このフェージングの影響を軽減し、高品質のデータ伝送を行うためのダイバーシティ方式が幾つか存在し、その一つとして同一内容のデータを繰り返し送信するタイムダイバーシティ方式が有利であると考えられている。
【０００４】
そのため、現在では、タイムダイバーシティ伝送方式を用いてデータ伝送するための伝送系が検討されている（例えば、非特許文献１参照。）。また、降雨減衰対策としてタイムダイバーシティを用いた場合の効果についても開示されている（例えば、非特許文献２参照。）。
【０００５】
ここで、従来のタイムダイバーシティ伝送システムの一例について図を用いて説明する。図１は、従来のタイムダイバーシティ伝送システムの一例を示すブロック構成図である。
【０００６】
図１のタイムダイバーシティ伝送システムは、送信装置１と、受信装置２とを有し、送信装置１から送信されるデジタルデータは、例えば、無線通信等からなる伝送路３を介して受信装置２へ伝送されるよう構成されている。送信装置１は、遅延部１１と、多重化部１２と、外符号符号化部１３と、インターリーブ部１４と、内符号符号化部１５と、同期信号発生部１６と、切替部１７と、デジタル変調部１８とを有するよう構成されている。受信装置２は、デジタル復調部２１と、クロック再生部２２と、分周・逓倍部２３と、同期信号検出部２４と、内符号復号部２５と、デインターリーブ部２６と、外符号復号部２７と、分配部２８と、遅延部２９と、誤り率測定部３０と、切替部３１とを有するよう構成されている。
【０００７】
図１に示す送信装置１は、入力されたデータを、遅延素子からなる遅延部１１を有する経路と遅延を行わずに実時間で出力する経路とに分配し、同一内容のデータに所定の時間差を生じさせる。時間差を生じたデータは多重化部１２に出力され、多重化部１２において夫々のデータが多重化される。つまり、多重化部１２により同一のデータが、遅延部１１に設定された時間間隔（例えば、Ｔとする。）による時間差Ｔで２回多重化され出力される。
【０００８】
次に、多重化されたデータは外符号符号化部１３に出力され、外符号符号化部１３により、第１の誤り訂正符号のパリティを付加する処理、いわゆる外符号符号化処理が行われ、インターリーブ部１４に出力される。インターリーブ部１４は、入力されたデータ系列の順序の入れ替えを行い、内符号符号化部１５に出力する。
【０００９】
内符号符号化部１５では、入力されたデータ系列に対して、第２の訂正符号のパリティを付加する処理、いわゆる内符号符号化処理を行う。また、同期信号発生部１６は、伝送されるデータにおいて受信側で周期のタイミングをとるための基準となる同期信号を発生する。切替部１７は、予め設定された同期信号の付加タイミングに基づいて切り替えを行うことにより、データに同期信号を多重化する。同期信号を多重化されたデータは、デジタル変調部１８にてデジタル変調が行われ伝送路３に送出される。
【００１０】
伝送路３では、上述したような装置の移動や降雨時等の影響により信号が減衰する。例えば、降雨の影響により閾値以上の減衰が発生した場合には、降雨遮断が発生してその間の受信装置側で電波の受信はできなくなる。
【００１１】
受信装置２は、伝送路３を介して受信したデータをデジタル復調部２１に入力して検波を行う。このときクロック再生部２２は、受信したデータから、受信装置２における後続の構成部で使用されるタイミング基準信号（クロック信号）を再生してデジタル復調部２１に出力する。更に、クロック再生部２２にて再生されたクロック信号は、分周・逓倍部２３に出力される。分周・逓倍部２３は、後続の構成部で使用される周波数に合わせた分周又は逓倍を行い、各構成部にクロック信号を供給する。
【００１２】
デジタル復調部２１は、検波後のデータを同期信号検出部２４と内符号復号部２５とに出力する。同期信号検出部２４は、送信装置１０の切替部１７で多重した同期信号の検出を行い、後続の構成部分での処理を実行する際に必要となるゲート信号を発生する。
【００１３】
ここで、クロック再生部２２にて再生されたクロック信号が、送信装置１０内で使用されているタイミング信号と同期し、且つ同期信号検出部２４において同期信号が高精度に検出できている場合、後続の構成部分においてタイムダイバーシティ伝送における的確なデータの選択が可能となる。
【００１４】
次に、内符号復号部２５は、第２の誤り訂正符号の復号を行い、デインターリーブ部２６に出力する。デインターリーブ部２６は、送信側のインターリーブ部１４で入れ替えられたデータ系列を元の順序に戻すための順序入れ替えを行う。なお、送信側でのインターリーブと、受信側でのデインターリーブにより、伝送中の一定の時間範囲おいて降雨減衰により伝送が遮断した場合でも、伝送中におけるデータ配列は入れ替えられているため、誤り訂正が有効に作用し、連続するデータ全体に影響を及ぼすことなく、復元精度を向上させることができる。
【００１５】
デインターリーブ部２６は、データ配列を入れ替えた後、外符号復号部２７に出力し、外符号復号部２７により第１の誤り訂正符号の復号が行われる。
【００１６】
外符号復号部２７より得られるデータは分配部２８に出力される。分配部２８は、入力されたデータについて、実時間で送信されたデータである場合、遅延素子からなる遅延部２９により所定時間Ｔを遅延させて切替部３１へ出力し、遅延時間Ｔで送信されたデータである場合、遅延部２９を通らない経路から切替部３１へ出力する。上述の分配部２８及び遅延部２９における処理により、送信時に時間差を有する同一の内容のデータを同期化させることができる。
【００１７】
ここで、外符号復号部２７における復号時には、誤り率測定部３０にてビット誤り率が測定され、その測定結果が切替部３１に出力される。切替部３１は、誤り率測定部３０からの誤り率に基づき誤り率の少ないデータが出力される経路に切り替えてデータを出力する。
【００１８】
なお、ビット誤り率は外符号の誤り訂正前と後のビット比較を行う場合や、誤り訂正時の計算過程で得られるシンドロームを監視する方法等が知られている。前者の場合は、訂正能力を超えた場合には、正確な誤り率が測定できないという欠点がある。また、後者の場合は、数値としてビット誤り率が測定できるというものではなく、訂正能力の範囲内か否かの判定のみが可能である。しかしながら、ここでの用途としては何れの方法も利用可能である。
【００１９】
上述したタイムダイバーシティ伝送システムにより、複数の同一内容のデータから誤りの少ないデータを選択して出力することができる。これにより、降雨等における遮断の影響が軽減される。
【００２０】
次に、上述した従来のタイムダイバーシティ伝送システムにおけるデータの様子について図２を用いて説明する。図２において、図２（１）は送信装置１の多重化部１２から出力されるデータブロックの信号例である。ここで、遅延部１１にて遅延されたデータの遅延時間をＴとしており、遅延部１１を通過する経路と通過しない経路とにより多重化部１２へ出力されるデータの出力タイミングが異なっている。
【００２１】
また、図２（２）〜図２（４）は、図２（１）に示したデータの伝送中に図２（ａ）に示す降雨減衰により、受信装置２における受信Ｃ／Ｎ（搬送波対雑音電力比）が閾値Ｃ／Ｎ以下となり、データが遮断された斜線部分を含むデータの様子を示すものである。図２（２）は、外符号復号部２７から出力されるデータを示している。また、図２（３）は、分配部２８から遅延部２９の有り、無しの２つの経路から出力される同期化された同一内容のデータを示している。更に、図２（４）は、切替部３１にて誤り率の少ないデータが選択され出力されたデータを示している。
【００２２】
なお、図１と図２の関連性を明確にするため、図２における（１）〜（４）の信号となる時点の構成部分の位置を図１上にも記載している。また、図２（２）〜図２（４）における斜線部分のデータは、降雨減衰により遮断されたデータ部分を示すものである。
【００２３】
図２（４）に示すように、タイムダイバーシティ方式による伝送方式を用いることにより、同一内容の複数のデータを同期化し、同期化したデータから誤り率の少ないデータを選択して出力することで、実際の遮断時間に比べ欠損の少ないデータが得ることができ、降雨による遮断の影響を軽減することができる。
【００２４】
なお、図１における遅延部の構成はこの限りではなく、複数の遅延部を有し、夫々異なる遅延時間を設定して遅延させた信号を伝送することにより、通信品質の精度を向上させることができる。
【００２５】
【非特許文献１】
橋本明記，山崎雷太，亀井雅，中川仁「蓄積受信を用いた降雨減衰補償についての一検討」２００２年電子情報通信学会通信ソサイエティ大会，Ｂ−３−５
【００２６】
【非特許文献２】
中山哲也，都竹愛一郎，福地一，黒木聖司「ＡＭｅＤＡＳデータによる２１ＧＨｚ帯高度衛星放送システムの降雨減衰対策」電子情報通信学会，信学技報Ａ・Ｐ９６−３３（１９９６−０６）
【００２７】
【発明が解決しようとする課題】
タイムダイバーシティ方式におけるデータ伝送を行うことで、降雨遮断による通信品質の影響を軽減することができる、また、上述したように降雨遮断があっても時間差を持たせた同一内容のデータのうち何れか一方が正しく受信することができれば、全く遮断なくデータを受信することも可能である。
【００２８】
しかしながら、上述の対応は、降雨遮断中にも受信装置のデジタル復調部において、クロック信号の再生が正確に行われている場合に言えることであり、そうでない場合は以下に示すような問題が生じる。
【００２９】
受信装置２では、クロック再生部２２からのクロック信号に基づき、誤り率測定部３０の結果を受けて同期化された同一内容のデータから誤りの少ないデータを選択して出力することになる。このとき、伝送路における大きな減衰が発生しクロック信号が正確に再生されず、送信側で使われている処理のタイミングよりも早いタイミングで受信装置２側の処理が行われてしまった場合、遅延時間Ｔの時間差を設けて伝送される同一内容のデータが受信装置２で完全に受信される前に、クロックの誤差により遅延部２９に蓄積されているデータが出力されてしまう、いわゆるアンダーフローが発生してしまう。その結果、遅延部２９に蓄積されているデータに欠損がある場合や、時間差Ｔにより遅れて送信されるデータに欠損がなかった場合においても、修復されることなく、受信装置２から出力されることになり、本来のタイムダイバーシティの特徴を生かせないことになる。
【００３０】
本発明は、上述した問題点に鑑みなされたものであり、遮断耐性を向上させることができるダイバーシティ受信装置及び受信方法を提供することを目的とする。
【００３１】
【課題を解決するための手段】
上記課題を解決するために、本件発明は、以下の特徴を有する課題を解決するための手段を採用している。
【００３２】
請求項１に記載された発明は、伝送路を介して繰り返し送信される同一内容のデータからなる符号化されたデータを受信し、その受信状態に基づいて同一内容のデータから一つのデータを選択するためのタイムダイバーシティ受信装置において、前記伝送路におけるデータの遮断の有無を検出する遮断検出部と、受信したデータを蓄積する遅延部と、受信したデータに基づく第１クロック信号よりも高周波の第２クロック信号を発生する第１クロック発生部と、受信したデータに基づく第１クロック信号よりも低周波の第３クロック信号を発生する第２クロック発生部と、前記遮断検出部から得られる検出結果に基づいて、前記遅延部からデータを読み出す処理に利用する第１クロック信号と第２クロック信号と第３クロック信号とを切り替える切替部とを有することを特徴とする。
【００３３】
請求項１記載の発明によれば、データの遮断により、データに含まれる第１クロック信号の再生ができない場合であっても、第１クロック信号よりも高周波の第２クロック信号と受信したデータに含まれる第１クロック信号よりも低周波の第３クロック信号を用いて、データを読み出す処理速度を切り替えることで遮断耐性を向上させることができる。これにより、タイムダイバーシティにおける高精度なデータ受信を実現できる。
【００３４】
請求項２に記載された発明は、前記遅延部にて蓄積されたデータ容量を監視する蓄積データ監視部を有し、前記切替部は、データの遮断が起きている間、第１クロック信号から第２クロック信号に切り替え、データの遮断から復旧すると、前記蓄積データ監視部から得られるデータ容量に基づいて、第２クロック信号から第３クロック信号に切り替えることを特徴とする。
【００３５】
請求項２記載の発明によれば、データの遮断が起きている間は、第２クロック信号に切り替えることで、データのアンダーフローを回避することができる。また、データの遮断から復旧すると、前記蓄積データ監視部から得られるデータ容量に基づいて、蓄積されたデータが直ぐに出力されるよう第３クロック信号に切り替える。これにより、タイムダイバーシティにおける高精度なデータ受信を実現できる。
【００３６】
請求項３に記載された発明は、前記遮断検出部は、受信したデータの受信レベルに基づいて、前記遮断の有無を検出することを特徴とする。
【００３７】
請求項３記載の発明によれば、受信したデータの受信レベルに基づいて、容易に遮断の有無を検出することができる。
【００３８】
請求項４に記載された発明は、前記遮断検出部は、受信したデータに含まれる同期信号の検出結果に基づいて、前記遮断の有無を検出することを特徴とする。
【００３９】
請求項４記載の発明によれば、同期信号の検出ができない場合に遮断がされたものと判断することで、容易に遮断の有無を検出することができる。
【００４０】
請求項５に記載された発明は、受信したデータの誤り率を測定する誤り率測定部を有し、前記遮断検出部は、前記誤り率測定部からの測定結果に基づいて、遮断の有無を検出することを特徴とする。
【００４１】
請求項５記載の発明によれば、受信したデータにおけるデータの誤り率を用いることで、高精度にデータの遮断検出を行うことができる。
【００４２】
請求項６に記載された発明は、前記誤り率測定部は、前記データにおける内符号の復号時及び／又は外符号の復号時に誤り率を検出することを特徴とする。
【００４３】
請求項６記載の発明によれば、内符号及び／又は外符号の復号時に得られる誤り率を用いることで効率的に遮断の有無を検出することができる。
【００４４】
請求項７に記載された発明は、伝送路を介して繰り返し送信される同一内容のデータからなる符号化されたデータを受信し、その受信状態に基づいて同一内容のデータから一つのデータを選択するためのタイムダイバーシティ受信方法において、前記伝送路におけるデータの遮断の有無を検出する遮断検出段階と、受信したデータを蓄積する遅延段階と、受信したデータに基づく第１クロック信号よりも高周波の第２クロック信号を発生する第１クロック発生段階と、受信したデータに基づく第１クロック信号よりも低周波の第３クロック信号を発生する第２クロック発生段階と、前記遮断検出段階から得られる検出結果に基づいて、前記遅延段階からデータを読み出す処理に利用する第１クロック信号と第２クロック信号と第３クロック信号とを切り替える切替段階とを有することを特徴とする。
【００４５】
請求項７記載の発明によれば、データの遮断により、データに含まれる第１クロック信号の再生ができない場合であっても、第１クロック信号よりも高周波の第２クロック信号と受信したデータに含まれる第１クロック信号よりも低周波の第３クロック信号を用いて、データを読み出す処理速度を切り替えることで遮断耐性を向上させることができる。これにより、タイムダイバーシティにおける高精度なデータ受信を実現できる。
【００４６】
【発明の実施の形態】
次に、本発明におけるデジタル伝送受信装置の実施の形態について図を用いて説明する。なお、送信側は、従来のタイムダイバーシティ伝送システムにおける送信装置の構成、動作を有していればよく、例えば、図１に示した送信装置１を用いることができる。
【００４７】
＜第１の実施形態＞
図３は、本発明におけるタイムダイバーシティ受信装置の第１の実施形態を示す一例のブロック構成図である。
【００４８】
図３の送信装置４は、デジタル復調部４１と、クロック再生部４２と、分周・逓倍部４３と、同期信号検出部４４と、内符号復号部４５と、デインターリーブ部４６と、外符号復号部４７と、分配部４８と、第１遅延部４９−１と、第２遅延部４９−２と、誤り率測定部５０と、データ切替部５１と、遮断検出部５２と、クロック切替部５３と、蓄積データ監視部５４と、第１クロック発生部５５と、第２クロック発生部５６とを有するよう構成されている。
【００４９】
第１の実施形態では、受信装置４では、伝送路３を介して受信したデータがデジタル復調部４１及び遮断検出部５２に入力される。デジタル復調部４１は、受信したデータの検波を行う。また、クロック再生部４２は、受信したデータからクロック信号を再生してデジタル復調部４１に出力する。
【００５０】
また、クロック再生部４２は、再生したクロック信号を分周・逓倍部４３にも出力する。分周・逓倍部４３は、入力されたクロック信号を受信装置４の後続の各構成部に対応させて分周又は逓倍を行う。なお、本実施形態では、後述するクロック切り替えの説明を容易にするため、クロック切替部５３への出力のみを示している。
【００５１】
デジタル復調部４１では、検波後のデータを同期信号検出部４４と、内符号復号部４５に出力する。同期信号検出部４４は、送信装置４で多重された同期信号の検出を行い、後続の各構成部における処理で必要となるゲート信号を発生する。同期信号検出部４４で発生したゲート信号は、内符号復号部４５、デインターリーブ部４６、及び第１遅延部４９−１に出力される。
【００５２】
次に、内符号復号部４５は、入力されたデータに対して第２の誤り訂正符号の復号を行い、デインターリーブ部４６に出力する。デインターリーブ部４６は、送信側のインターリーブ部で入れ替えられたデータ系列を元の順序に戻すためのデータ配列の順序入れ替えを行う。デインターリーブ部４６でデータ配列が元に戻されたデータは、外符号復号部４７に出力され、外符号復号部４７において第１の誤り訂正符号の復号を行われて分配部４８に出力される。
【００５３】
また、外符号復号部４７における復号時には、誤り率測定部５０にてビット誤り率が測定され、その測定結果がデータ切替部５１に出力される。
【００５４】
分配部４８は、第１遅延部４９−１を有する経路と、第２遅延部４９−２を有する経路とにデータを分配して出力する。第１遅延部４９−１は、同期信号検出部４４から出力されたゲート信号に基づいて、入力されたデータの遅延を行い、後述するクロック切替部５３からのクロック信号に基づいて第１遅延部４９−１に蓄積されたデータを出力する。また、第２遅延部４９−２は、後述するクロック切替部５３からのクロック信号に基づいて信号の出力を行う。
【００５５】
遮断検出部５２は、受信するデータの遮断の有無を常時検出し、検出結果をクロック切替部５３に出力する。
【００５６】
ここで、第１の実施の形態では、遮断検出部５２は、受信したデータの受信レベルに基づいて遮断の有無を検出する。例えば、図２（ａ）に示すように受信レベル（受信Ｃ／Ｎ）が予め設定された閾値（閾値Ｃ／Ｎ）以下である場合に遮断が発生したものと判断して遮断時における制御信号を出力する。また、データの受信レベルが閾値を超える場合は、信号が復旧したことを示す制御信号を出力する。
【００５７】
クロック切替部５３は、遮断検出部５２からの制御信号に基づいて、スイッチの切り替えを行う。なお、クロック切替部５３は、スイッチの切り替えにより分周・逓倍部４３から出力される受信したデータから再生された周波数ｆ０のクロック信号と、第１クロック発生部５５から出力されるｆ０よりも高い周波数ｆＨのクロック信号と、第２クロック発生部５６から出力されるｆ０よりも低い周波数ｆＬのクロック信号とに切り替えることができる。通常、クロック切替部５３は、周波数ｆ０のクロック信号が出力されるようにスイッチが位置付けられている。なお、クロック発生部の構成については上述の限りではなく、１つの発生器により周波数を変化させてクロック信号を出力するよう構成させてもよい。
【００５８】
クロック切替部５３は、遮断検出部５２から遮断を知らせる制御信号が入力されると第２クロック発生部５６側に切り替えて周波数ｆＬのクロック信号を出力する。
【００５９】
クロック切替部５３から出力されたクロック信号は、第１遅延部４９−１及び第２遅延部４９−２に出力される。データ切替部５１は、誤り測定部５０からのデータの誤り率測定結果に基づいて、２経路から誤りの少ない方のデータが出力されるようスイッチを切り替える。第１遅延部４９−１又は第２遅延部４９−２は、クロック切替部５３から得られる周波数ｆＬのクロック信号に基づいて信号を出力する。
【００６０】
これにより、時間差を設けて伝送される同一内容のデータが受信装置で完全に受信する前に、遅延部に蓄積されているデータが出力されてしまう、いわゆるアンダーフローが発生するのを回避することができる。なお、このとき第１遅延部４９−１及び第２遅延部４９−２は、分配部４８から出力されたデータを周波数ｆＬのクロック信号に基づき遅延処理にて蓄積するため、データの蓄積量が次第に大きくなる。このため、第１遅延部４９−１及び第２遅延部４９−２は、データの蓄積量が溢れることがないような容量を確保しておく。
【００６１】
また、クロック切替部５３は、遮断検出部５２により信号が復旧したことを示す制御信号が入力された場合、第１クロック発生部５５に切り替えて周波数ｆＨのクロック信号を出力する。これにより、遮断発生時に第１遅延部４９−１、第２遅延部４９−２内に過剰に蓄積されるデータを出力することができる。
【００６２】
ここで、蓄積データ監視部５４は、第２遅延部４９−２に蓄積されたデータ量を監視し、規定のデータ量までデータが減少したことを確認したとき、クロック切替部５３に制御信号に送り、クロック切替部５３に通常の周波数ｆ０のクロック信号を出力するようスイッチを切り替えさせる。これにより、通常の受信状態に容易に復帰することができる。
【００６３】
また、クロック切替部５３における切り替えは、分周・逓倍部の分周比又は逓倍比を変更することでも対応できる。更に、第１遅延部４９−１又は第２遅延部４９−２へ出力されるクロック信号の周波数ｆＨ、ｆＬは受信装置の具体的な動作内容に基づいて決定されればよい。例えば、受信装置が画像・音声等を受信するものであれば、その画像・音声デコーダが許容する範囲内で設定することができる。
【００６４】
上述したように、第１の実施形態により、伝送路３において、降雨等によりクロック再生が困難なデータの遮断が生じても、その遮断を容易に検出することができる。また、受信したデータから再生された周波数ｆ０のクロック信号と、ｆ０よりも高い周波数ｆＨのクロック信号と、ｆ０よりも低い周波数ｆＬのクロック信号とを用いて、データの遮断時は周波数ｆＬのクロック信号に基づいて処理を行い、データの遮断がなくなった場合は遅延部４９−２にて蓄積されたデータ量が少なくなるまで、高い周波数ｆＨのクロック信号に基づいて処理を行うことにより、アンダーフローの発生を回避し、遮断耐性を向上させた高精度なタイムダイバーシティ受信を行うことができる。
【００６５】
＜第２の実施形態＞
次に、データの遮断を検出するための第２の実施形態について図を用いて説明する。図４は、本発明におけるタイムダイバーシティ受信装置の第２の実施形態を示す一例のブロック構成図である。
【００６６】
図４におけるタイムダイバーシティ受信装置の各構成部については図３に示したものと同様である。第２の実施形態では、同期信号検出部４４にて発生されたゲート信号を遮断検出部５２にも出力する。
【００６７】
遮断検出部５２は、ゲート信号が正しく検出できない場合に、遮断が起きているものと判断し、制御信号をクロック切替部５３に出力する。また、ゲート信号が正確に検出できるようになった場合は、その復旧したことを示す制御信号をクロック切替部５３に出力する。
【００６８】
クロック切替部５３は、第１の実施形態にて説明したように、遮断検出部５２から入力される制御信号に基づいてクロック信号を切り替えて第１遅延部４９−１及び第２遅延部４９−２に出力する。データ切替部５１は、誤り測定部５０からのデータの誤り率測定結果に基づいてデータを選択して出力する。
【００６９】
上述したように、第２の実施形態により、受信したデータから同期信号の検出ができない場合に遮断がされたものと判断することで、容易に遮断の有無を検出することができる。また、受信したデータから再生された周波数ｆ０のクロック信号と、ｆ０よりも高い周波数ｆＨのクロック信号と、ｆ０よりも低い周波数ｆＬのクロック信号とを用いて、データの遮断時は周波数ｆＬのクロック信号に基づいて処理を行い、データの遮断がなくなった場合は遅延部４９−２にて蓄積されたデータ量が少なくなるまで、高い周波数ｆＨのクロック信号に基づいて処理を行うことにより、アンダーフローの発生を回避し、遮断耐性を向上させた高精度なタイムダイバーシティ受信を行うことができる。
【００７０】
＜第３の実施形態＞
次に、データの遮断を検出するための第３の実施形態について図を用いて説明する。図５は、本発明におけるタイムダイバーシティ受信装置の第３の実施形態を示す一例のブロック構成図である。
【００７１】
図５におけるタイムダイバーシティ受信装置の各構成部については、上述した実施形態の構成に加えて、内符号復号部４５における内符号復号時における誤り率を測定する第２誤り率測定部５７を設けて、第２誤り率測定部５７から得られる誤り率を遮断検出部５２に出力する。遮断検出部５２は、入力された誤り率に基づいて遮断の有無を検出する。
【００７２】
更に具体的に説明すれば、遮断検出部５２は、第２誤り率測定部５７から入力される誤り率が、予め設定した閾値以上である場合に、データの誤りが多いため信号が遮断されていたと判断し、遮断を示す制御信号をクロック切替部５３に出力する。また、誤り率が予め設定した誤り率の閾値より小さい場合に、信号が復旧したことを示す制御信号をクロック切替部５３に出力する。
【００７３】
クロック切替部５３は、上述の実施形態にて説明したように、遮断検出部５２から入力される制御信号に基づいてクロック信号を切り替えて第１遅延部４９−１及び第２遅延部４９−２に出力する。データ切替部５１は、誤り測定部５０からのデータの誤り率測定結果に基づいてデータを選択して出力する。
【００７４】
上述したように、第３の実施形態により、受信したデータにおけるデータの誤り率を用いることで、高精度に遮断検出を行うことができる。また、受信したデータから再生された周波数ｆ０のクロック信号と、ｆ０よりも高い周波数ｆＨのクロック信号と、ｆ０よりも低い周波数ｆＬのクロック信号とを用いて、データの遮断時は周波数ｆＬのクロック信号に基づいて処理を行い、データの遮断がなくなった場合は遅延部４９−２にて蓄積されたデータ量が少なくなるまで、高い周波数ｆＨのクロック信号に基づいて処理を行うことにより、アンダーフローの発生を回避し、遮断耐性を向上させた高精度なタイムダイバーシティ受信を行うことができる。
【００７５】
＜第４の実施形態＞
次に、データの遮断を検出するための第４の実施形態について図を用いて説明する。図６は、本発明におけるタイムダイバーシティ受信装置の第４の実施形態を示す一例のブロック構成図である。
【００７６】
図６におけるタイムダイバーシティ受信装置の各構成部については、図３に示したものと同様である。第４の実施形態では、第３の実施形態にて説明したように内符号復号時の誤り率を測定するのではなく、データ切替部５１にて用いられるための外符号復号時に誤り率測定部５０にて測定される誤り率を利用し、その測定結果を遮断検出部５２にも出力する。遮断検出部５２は、入力された誤り率に基づいて、遮断の有無の検出を行う。
【００７７】
更に具体的に説明すれば、遮断検出部５２は、誤り率測定部５０から入力される誤り率が、予め設定した閾値以上である場合に、データの誤りが多いため信号が遮断されていたと判断し、遮断を示す制御信号をクロック切替部５３に出力する。また、誤り率が予め設定した誤り率の閾値より小さい場合に、信号が復旧したことを示す制御信号をクロック切替部５３に出力する。
【００７８】
クロック切替部５３は、上述の実施形態にて説明したように、遮断検出部５２から入力される制御信号に基づいてクロック信号を切り替えて第１遅延部４９−１及び第２遅延部４９−２に出力する。データ切替部５１は、誤り測定部５０からのデータの誤り率測定結果に基づいてデータを選択して出力する。
【００７９】
上述したように、第４の実施形態により、受信したデータにおけるデータの誤り率を用いることで、高精度に遮断検出を行うことができる。また、データ切替部５１にて使用するために測定される誤り率を用いることで効率的に遮断の有無を検出することができる。また、受信したデータから再生された周波数ｆ０のクロック信号と、ｆ０よりも高い周波数ｆＨのクロック信号と、ｆ０よりも低い周波数ｆＬのクロック信号とを用いて、データの遮断時は周波数ｆＬのクロック信号に基づいて処理を行い、データの遮断がなくなった場合は遅延部４９−２にて蓄積されたデータ量が少なくなるまで、高い周波数ｆＨのクロック信号に基づいて処理を行うことにより、アンダーフローの発生を回避し、遮断耐性を向上させた高精度なタイムダイバーシティ受信を行うことができる。
【００８０】
また、上述の実施形態は、他の実施形態と組み合わせて構成でき、これにより高精度に遮断耐性を向上させたタイムダイバーシティ受信を実現することができる。
【００８１】
上述したように本発明によれば、タイムダイバーシティ受信において、信号が遮断されていることを検出する遮断検出部を有し、遮断検出部の結果に基づいて、受信したデータから再生された周波数ｆ０のクロック信号と、ｆ０よりも高い周波数ｆＨのクロック信号と、ｆ０よりも低い周波数ｆＬのクロック信号とを用いて、データの遮断時は周波数ｆＬのクロック信号に基づいて処理を行い、データの遮断がなくなった場合は遅延部４９−２にて蓄積されたデータ量が少なくなるまで、高い周波数ｆＨのクロック信号に基づいて処理を行うことにより、受信信号遮断時の遮断耐性を向上させることができる。
【００８２】
以上本発明の好ましい実施例について詳述したが、本発明は係る特定の実施形態に限定されるものではなく、特許請求の範囲に記載された本発明の要旨の範囲内において、種々の変形、変更が可能である。
【００８３】
【発明の効果】
上述の如く本発明によれば、データの遮断耐性を向上させることができる。
【図面の簡単な説明】
【図１】従来のタイムダイバーシティ伝送システムの一例を示す図である。
【図２】従来のタイムダイバーシティ伝送システムにおけるデータの様子を説明するための図である。
【図３】本発明におけるタイムダイバーシティ受信装置の第１の実施形態を示す一例のブロック構成図である。
【図４】本発明におけるタイムダイバーシティ受信装置の第２の実施形態を示す一例のブロック構成図である。
【図５】本発明におけるタイムダイバーシティ受信装置の第３の実施形態を示す一例のブロック構成図である。
【図６】本発明におけるタイムダイバーシティ受信装置の第４の実施形態を示す一例のブロック構成図である。
【符号の説明】
１  送信装置
２，４  受信装置
３  伝送路
１１，２９  遅延部
１２  多重化部
１３  外符号符号化部
１４  インターリーブ部
１５  内符号符号化部
１６  同期信号発生部
１７，３１  切替部
１８  デジタル変調部
２１，４１  デジタル復調部
２２，４２  クロック再生部
２３，４３  分周・逓倍部
２４，４４  同期信号検出部
２４，４５  内符号復号部
２６，４６  デインターリーブ部
２７，４７  外符号復号部
２８，４８  分配部
３０，５０  誤り率測定部
４９  遅延部（第１，第２）
５１  データ切替部
５２  遮断検出部
５３  クロック切替部
５４  蓄積データ監視部
５５  第１クロック発生部
５６  第２クロック発生部
５７  第２誤り率測定部
【図１】
2005027031.tif 000003
【図２】
2005027031.tif 000004
【図３】
2005027031.tif 000005
【図４】
2005027031.tif 000006
【図５】
2005027031.tif 000007
【図６】
2005027031.tif 000008